(57)【要約】      （修正有）【課題】時間とともに変形できる掛け時計を提供する。【解決手段】ぜんまい仕掛けを含み、ぜんまい仕掛けの前端にはクロック軸１１が接続され、クロック軸には展示盤１５が回転できるように接続され、展示盤の前端端面にはスライドレール１４が設けられ、スライドレールには六組の指示装置９０１がスライドできるように接続され、指示装置は反転装置および復帰装置を含み、二時間ごとに一組のライトボードを曲げることにより、使用者に時間の変化を注意してもらい、同時に、壁時計の位置が高すぎることによって引き起こされる不明瞭な観察を避け、そして伝統的な時計の三組の針で時間を読み間違う問題を防ぎ、二時間ごとに一組を曲げ、十二時間ごとに一循環の読み方によってもっと便利且つ早く時間を読まれる。【選択図】図１
2020153961.tif 000002
【特許請求の範囲】
【請求項１】
ぜんまい仕掛けを含み、前記ぜんまい仕掛けの前端にはクロック軸が接続され、前記クロック軸には展示盤が回転できるように接続され、前記展示盤の前端端面にはスライドレールが設けられ、前記スライドレールには六組の指示装置がスライドできるように接続され、前記指示装置は反転装置および復帰装置を含み、その中、前記反転装置と前記復帰装置との間には相互作用を生じ、前記スライドレールには前記復帰装置と当接する電磁ブロックが設けられ、前記クロック軸には回転盤が設けられ、前記回転盤にはスライド溝が設けられ、前記スライド溝には回しロッドがスライドできるように接続され且つ、前記回しロッドと前記回転盤の間には抵抗バネが接続され、前記クロック軸には前記回転盤の前端に位置する復帰傘歯車が回転できるように接続され、前記復帰傘歯車の前端には前記クロック軸とスリーブ接続されるラチェットが設けられ、前記クロック軸には前記復帰傘歯車の前端に位置するスイッチ装置が設けられる；時計で二時間ごとに一組の前記指示装置を曲げ、時間の変更を注意し、前記スイッチ装置と前記復帰装置との協力作動により、前記反転装置を復帰させ、またの時間表示作動に進むことを特徴とする時間とともに変形できる掛け時計。
【請求項２】
前記反転装置は前記スライドレールとスライドできるように接続される切替ブロックを含み、前記切替ブロックの反時計回りの一端の端面と前記電磁ブロックとの間には復帰バネが接続され、前記切替ブロックの時計回りの一端の端面には上部当接ロッドが設けられ、前記切替ブロックには反転溝が設けられ、前記反転溝の反時計回りの一端の内壁には固定軸が回転できるように接続され、前記固定軸には表示パネルが設けられ、前記切替ブロックには前記反転溝のうち円心に近接している一端に位置する開口溝が設けられ、前記開口溝の中には前記回しロッドと当接する押し板がスライドできるように接続され、前記押し板と前記開口溝のうち互いに近接している側には引張りバネが接続され、前記引張りバネにおいて時計回りの一端の内壁には下部当接ロッドがスライドできるように接続される；前記回しロッドと前記押し板との当接によって前記切替ブロックを連動させてスライドさせ、前記固定軸によって前記表示パネルを回転させて時間の変化を示すことを特徴とする請求項１に記載の時間とともに変形できる掛け時計。
【請求項３】
前記復帰装置は前記スライドレールとスライドできるように接続される磁気ブロックを含み、前記磁気ブロックの中には復帰チャンバが設けられ、前記復帰チャンバのうち円心に近接している一端には駆動軸が回転できるように接続され、前記駆動軸には前記磁気ブロックの外側に位置する第一傘歯車が設けられ、前記駆動軸には前記復帰チャンバに位置する第二傘歯車が設けられ、前記磁気ブロックの反時計回りの一端の内壁には前記反転軸の中に伸びている伝動軸が回転できるように接続され、前記伝動軸と前記固定軸との間にはヒンジ接続フレームがヒンジで接続され、前記伝動軸には前記第二傘歯車と噛み合う第三傘歯車が設けられ、前記伝動軸には前記第三傘歯車の反時計回りの一側に位置する引掛り盤が設けられ、前記復帰チャンバの反時計回りの一端の内壁にはロック解除チャンバが連通して設けられ、前記ロック解除チャンバには前記上部当接ロッドと当接するロックロッドがスライドできるように接続され、前記ロックロッドの上側と前記ロック解除チャンバとの間には圧縮バネが接続される；前記上部当接ロッドによって前記ロックロッドを押し動かして前記引掛り盤との当接から離脱させ、前記伝動軸が前記ヒンジ接続フレームによって前記固定軸を回転させることを特徴とする請求項１又は請求項２に記載の時間とともに変形できる掛け時計。
【請求項４】
前記スイッチ装置は前記クロック軸と回転できるように接続されるスイッチボックスを含み、前記スイッチボックスの後側と前記ラチェットの前側との間にはもどしバネが接続され、前記スイッチボックスの中には活動チャンバが設けられ、前記クロック軸には前記活動チャンバに位置する間欠リングが設けられ、前記活動チャンバの中には前記クロック軸の上端に位置する横梁が設けられ、前記横梁には前記間欠リングと当接するスイッチロッドがスライドできるように接続され、前記活動チャンバの後端内壁には前記ラチェットと当接する歯止めがスライドできるように接続され、前記歯止めと前記活動チャンバの後端内壁との間には抑制バネが接続される；前記間欠リングの不規則な形状によってスイッチ状態が変化すると装置が復帰することを特徴とする請求項１又は請求項３に記載の時間とともに変形できる掛け時計。
【発明の詳細な説明】
【技術分野】
【０００１】
本発明は時計クロック技術分野を取り上げて、具体的には時間とともに変形できる掛け時計である。
【背景技術】
【０００２】
掛け時計は通常高いところに掛けられ、しかし、視力の弱い人たちにとっては、外部のツールの助けなしでは時間を見ることができないことがあり、そして伝統的な掛け時計の３本の針の動きは混同しやすい、したがって、形状を使用して時間を簡易に提示する掛け時計が業界の発展において避けられない傾向になる。
【先行技術文献】
【特許文献】
【０００３】
【特許文献１】中国特許出願公開第１０６５９７８２９号明細書
【発明の概要】
【発明が解決しようとする課題】
【０００４】
本発明の目的は時間とともに変形できる掛け時計を提供し、それは上記の現在の技術中の問題を解決できる。
【課題を解決するための手段】
【０００５】
上記の課題を解決するため、本発明は以下の技術プランを採用する：時間とともに変形できる掛け時計は、ぜんまい仕掛けを含み、前記ぜんまい仕掛けの前端にはクロック軸が接続され、前記クロック軸には展示盤が回転できるように接続され、前記展示盤の前端端面にはスライドレールが設けられ、前記スライドレールには六組の指示装置がスライドできるように接続され、前記指示装置は反転装置および復帰装置を含み、その中、前記反転装置と前記復帰装置との間には相互作用を生じ、前記スライドレールには前記復帰装置と当接する電磁ブロックが設けられ、前記クロック軸には回転盤が設けられ、前記回転盤にはスライド溝が設けられ、前記スライド溝には回しロッドがスライドできるように接続され且つ、前記回しロッドと前記回転盤の間には抵抗バネが接続され、前記クロック軸には前記回転盤の前端に位置する復帰傘歯車が回転できるように接続され、前記復帰傘歯車の前端には前記クロック軸とスリーブ接続されるラチェットが設けられ、前記クロック軸には前記復帰傘歯車の前端に位置するスイッチ装置が設けられる；時計で二時間ごとに一組の前記指示装置を曲げ、時間の変更を注意し、前記スイッチ装置と前記復帰装置との協力作動により、前記反転装置を復帰させ、またの時間表示作動に進む。
【０００６】
優選的には、前記反転装置は前記スライドレールとスライドできるように接続される切替ブロックを含み、前記切替ブロックの反時計回りの一端の端面と前記電磁ブロックとの間には復帰バネが接続され、前記切替ブロックの時計回りの一端の端面には上部当接ロッドが設けられ、前記切替ブロックには反転溝が設けられ、前記反転溝の反時計回りの一端の内壁には固定軸が回転できるように接続され、前記固定軸には表示パネルが設けられ、前記切替ブロックには前記反転溝のうち円心に近接している一端に位置する開口溝が設けられ、前記開口溝の中には前記回しロッドと当接する押し板がスライドできるように接続され、前記押し板と前記開口溝のうち互いに近接している側には引張りバネが接続され、前記引張りバネにおいて時計回りの一端の内壁には下部当接ロッドがスライドできるように接続される；前記回しロッドと前記押し板との当接によって前記切替ブロックを連動させてスライドさせ、前記固定軸によって前記表示パネルを回転させて時間の変化を示す。
【０００７】
優選的には、前記復帰装置は前記スライドレールとスライドできるように接続される磁気ブロックを含み、前記磁気ブロックの中には復帰チャンバが設けられ、前記復帰チャンバのうち円心に近接している一端には駆動軸が回転できるように接続され、前記駆動軸には前記磁気ブロックの外側に位置する第一傘歯車が設けられ、前記駆動軸には前記復帰チャンバに位置する第二傘歯車が設けられ、前記磁気ブロックの反時計回りの一端の内壁には前記反転軸の中に伸びている伝動軸が回転できるように接続され、前記伝動軸と前記固定軸との間にはヒンジ接続フレームがヒンジで接続され、前記伝動軸には前記第二傘歯車と噛み合う第三傘歯車が設けられ、前記伝動軸には前記第三傘歯車の反時計回りの一側に位置する引掛り盤が設けられ、前記復帰チャンバの反時計回りの一端の内壁にはロック解除チャンバが連通して設けられ、前記ロック解除チャンバには前記上部当接ロッドと当接するロックロッドがスライドできるように接続され、前記ロックロッドの上側と前記ロック解除チャンバとの間には圧縮バネが接続される；前記上部当接ロッドによって前記ロックロッドを押し動かして前記引掛り盤との当接から離脱させ、前記伝動軸が前記ヒンジ接続フレームによって前記固定軸を回転させる。
【０００８】
優選的には、前記スイッチ装置は前記クロック軸と回転できるように接続されるスイッチボックスを含み、前記スイッチボックスの後側と前記ラチェットの前側との間にはもどしバネが接続され、前記スイッチボックスの中には活動チャンバが設けられ、前記クロック軸には前記活動チャンバに位置する間欠リングが設けられ、前記活動チャンバの中には前記クロック軸の上端に位置する横梁が設けられ、前記横梁には前記間欠リングと当接するスイッチロッドがスライドできるように接続され、前記活動チャンバの後端内壁には前記ラチェットと当接する歯止めがスライドできるように接続され、前記歯止めと前記活動チャンバの後端内壁との間には抑制バネが接続される；前記間欠リングの不規則な形状によってスイッチ状態が変化すると装置が復帰する。
【発明の効果】
【０００９】
本発明の有益な効果は：二時間ごとに一組のライトボードを曲げることにより、使用者に時間の変化を注意してもらい、同時に、壁時計の位置が高すぎることによって引き起こされる不明瞭な観察を避け、そして伝統的な時計の三組の針で時間を読み間違う問題を防ぎ、二時間ごとに一組を曲げ、十二時間ごとに一循環の読み方によってもっと便利且つ早く時間を読まれる。
【図面の簡単な説明】
【００１０】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１１】
【図１】図１は本発明の時間とともに変形できる掛け時計の全体構成概略図である；
【図２】図２は図１のＡの拡大構造図である；
【図３】図３は図１のＢーＢ構造断面図である；
【図４】図４は図３のＣ―Ｃの構造概略図である。
【発明を実施するための形態】
【００１２】
下記に図１〜４を合わせて本発明について詳しく説明します。説明を便利にさせるように、ここで下記の方位に規定します：下記の上下左右前後という方向は図１の自身の投影関係の上下左右前後の方向と一致します。
【００１３】
本発明の時間とともに変形できる掛け時計は、ぜんまい仕掛け５０を含み、前記ぜんまい仕掛け５０の前端にはクロック軸１１が接続され、前記クロック軸１１には展示盤１５が回転できるように接続され、前記展示盤１５の前端端面にはスライドレール１４が設けられ、前記スライドレールには六組の指示装置９０１がスライドできるように接続され、前記指示装置９０１は反転装置９０２および復帰装置９０３を含み、その中、前記反転装置９０２と前記復帰装置９０３との間には相互作用を生じ、前記スライドレール１４には前記復帰装置９０３と当接する電磁ブロック３２が設けられ、前記クロック軸１１には回転盤１２が設けられ、前記回転盤１２にはスライド溝１６が設けられ、前記スライド溝１６には回しロッド１７がスライドできるように接続され且つ、前記回しロッド１７と前記回転盤１２の間には抵抗バネ１８が接続され、前記クロック軸１１には前記回転盤１２の前端に位置する復帰傘歯車４１が回転できるように接続され、前記復帰傘歯車４１の前端には前記クロック軸１１とスリーブ接続されるラチェット４９が設けられ、前記クロック軸１１には前記復帰傘歯車４１の前端に位置するスイッチ装置９０４が設けられる；時計で二時間ごとに一組の前記指示装置を曲げ、時間の変更を注意し、前記スイッチ装置９０４と前記復帰装置９０３との協力作動により、前記反転装置９０２を復帰させ、またの時間表示作動に進む。
【００１４】
有益的なには、前記反転装置９０２は前記スライドレール１４とスライドできるように接続される切替ブロック４０を含み、前記切替ブロック４０の反時計回りの一端の端面と前記電磁ブロック３２との間には復帰バネ１３が接続され、前記切替ブロック４０の時計回りの一端の端面には上部当接ロッド２４が設けられ、前記切替ブロック４０には反転溝２２が設けられ、前記反転溝２２の反時計回りの一端の内壁には固定軸２０が回転できるように接続され、前記固定軸２０には表示パネル１９が設けられ、前記切替ブロック４０には前記反転溝２２のうち円心に近接している一端に位置する開口溝３９が設けられ、前記開口溝３９の中には前記回しロッド１７と当接する押し板３７がスライドできるように接続され、前記押し板３７と前記開口溝３９のうち互いに近接している側には引張りバネ３８が接続され、前記引張りバネ３８において時計回りの一端の内壁には下部当接ロッド３６がスライドできるように接続される；前記回しロッド１７と前記押し板３７との当接によって前記切替ブロック４０を連動させてスライドさせ、前記固定軸２０によって前記表示パネル１９を回転させて時間の変化を示す。
【００１５】
有益的なには、前記復帰装置９０３は前記スライドレール１４とスライドできるように接続される磁気ブロック２８を含み、前記磁気ブロック２８の中には復帰チャンバ３０が設けられ、前記復帰チャンバ３０のうち円心に近接している一端には駆動軸３３が回転できるように接続され、前記駆動軸３３には前記磁気ブロック２８の外側に位置する第一傘歯車３４が設けられ、前記駆動軸３３には前記復帰チャンバ３０に位置する第二傘歯車３１が設けられ、前記磁気ブロック２８の反時計回りの一端の内壁には前記反転軸２２の中に伸びている伝動軸２３が回転できるように接続され、前記伝動軸２３と前記固定軸２０との間にはヒンジ接続フレーム２１がヒンジで接続され、前記伝動軸２３には前記第二傘歯車３１と噛み合う第三傘歯車２９が設けられ、前記伝動軸２３には前記第三傘歯車２９の反時計回りの一側に位置する引掛り盤２７が設けられ、前記復帰チャンバ３０の反時計回りの一端の内壁にはロック解除チャンバ３５が連通して設けられ、前記ロック解除チャンバ３５には前記上部当接ロッド２４と当接するロックロッド２６がスライドできるように接続され、前記ロックロッド２６の上側と前記ロック解除チャンバ３５との間には圧縮バネ２５が接続される；前記上部当接ロッド２４によって前記ロックロッド２６を押し動かして前記引掛り盤２７との当接から離脱させ、前記伝動軸２３が前記ヒンジ接続フレーム２１によって前記固定軸２０を回転させる。
【００１６】
有益的なには、前記スイッチ装置９０４は前記クロック軸１１と回転できるように接続されるスイッチボックス４２を含み、前記スイッチボックス４２の後側と前記ラチェット４９の前側との間にはもどしバネ５１が接続され、前記スイッチボックス４２の中には活動チャンバ４３が設けられ、前記クロック軸１１には前記活動チャンバ４３に位置する間欠リング４４が設けられ、前記活動チャンバ４３の中には前記クロック軸１１の上端に位置する横梁４５が設けられ、前記横梁４５には前記間欠リング４４と当接するスイッチロッド４６がスライドできるように接続され、前記活動チャンバ４３の後端内壁には前記ラチェット４９と当接する歯止め４８がスライドできるように接続され、前記歯止め４８と前記活動チャンバ４３の後端内壁との間には抑制バネ４７が接続される；前記間欠リング４４の不規則な形状によってスイッチ状態が変化すると装置が復帰する。
【００１７】
初期状態では、表示パネル１９が回転して展示盤１５と並行するようになり、、上部当接ロッド２４がロックロッド２６と当接していなく、下部当接ロッド３６が磁気ブロック２８と当接していなく、ロックロッド２６と引掛り盤２７との間の当接によって駆動軸２３の回転する能力が制限されている。
【００１８】
装置が作動しているとき、ぜんまい仕掛け５０を始動させてクロック軸１１によって回転盤１２を回転させ、それにより回しロッド１７を回転連動させ、回しロッド１７が開口溝３９の中に伸びて切替ブロック４０と磁性ブロック２８を押して時計方向に回転させ、二時間ごとに磁性ブロック２８と電磁ブロック３２とが当接し、このとき、切換ブロック４０がスライドし続けて下部当接ロッド３６によって押し板３７を押し出し、押し板３７が回しロッド１７を開口溝３９から押し出し、これにより回しロッド１７がスライドして次の組の指示装置とドッキングし、上部当接ロッド２４がロックロッド２６と当接してロックロッド２６を押し動かして上方に移動させ、伝動軸２３の回転機能を回復させ、このとき、表示パネル１９が重力により水平状態から鉛直状態になり、固定軸２０、ヒンジ接続フレーム２１および伝動軸２３は第三傘歯車２９を回転連動させ、第三傘歯車２９が噛み合いによって第二傘歯車３１を回転させ、第二傘歯車３１が駆動軸３３によって第一傘歯車３４を回転連動させ、第一傘歯車３４が噛み合いによって復帰傘歯車４１を回転させ、ラチェット４９と歯止め４８との当接によって復帰傘歯車４１を一方向にしか回転できないようにさせ、クロック軸１１が一回り回転すれば１２時間であり、このとき、間欠リング４４の凹部がスイッチロッド４６と当接してスイッチロッド４６を下方に移動させ、電磁ブロックを停電させて消磁させ、抑制バネ４７の弾性回復により歯止め４８を前方に移動してラチェット４９との当接から離脱させ、もどしバネ５１の弾性回復によって復帰傘歯車４１を回転させ、上記のワークプロセスを逆で進めてすべての部品を復帰させ、次のサイクルの回転が実行される。
【００１９】
本発明の有益な効果は：二時間ごとに一組のライトボードを曲げることにより、使用者に時間の変化を注意してもらい、同時に、壁時計の位置が高すぎることによって引き起こされる不明瞭な観察を避け、そして伝統的な時計の三組の針で時間を読み間違う問題を防ぎ、二時間ごとに一組を曲げ、十二時間ごとに一循環の読み方によってもっと便利且つ早く時間を読まれる。
【００２０】
このように、本分野の技術者が明確できるのは、本発明の原理から離脱しない場合で、仕事モードに従って以上の実施例に各種な変形ができる。
【図１】
2020153961.tif 000003
【図２】
2020153961.tif 000004
【図３】
2020153961.tif 000005
【図４】
2020153961.tif 000006
【手続補正書】
【提出日】令和1年5月20日(2019.5.20)
【手続補正１】
【補正対象書類名】特許請求の範囲
【補正対象項目名】全文
【補正方法】変更
【補正の内容】
【特許請求の範囲】
【請求項１】
ぜんまい仕掛けを含み、前記ぜんまい仕掛けの前端にはクロック軸が接続され、前記クロック軸には展示盤が回転できるように接続され、前記展示盤の前端端面にはスライドレールが設けられ、前記スライドレールには六組の指示装置がスライドできるように接続され、前記指示装置は反転装置および復帰装置を含み、その中、前記反転装置と前記復帰装置との間には相互作用を生じ、前記スライドレールには前記復帰装置と当接する電磁ブロックが設けられ、前記クロック軸には回転盤が設けられ、前記回転盤にはスライド溝が設けられ、前記スライド溝には回しロッドがスライドできるように接続され且つ、前記回しロッドと前記回転盤の間には抵抗バネが接続され、前記クロック軸には前記回転盤の前端に位置する復帰傘歯車が回転できるように接続され、前記復帰傘歯車の前端には前記クロック軸とスリーブ接続されるラチェットが設けられ、前記クロック軸には前記復帰傘歯車の前端に位置するスイッチ装置が設けられ、
時計で二時間ごとに一組の前記指示装置を曲げ、時間の変更を注意し、前記スイッチ装置と前記復帰装置との協力作動により、前記反転装置を復帰させ、またの時間表示作動に進むことを特徴とする時間とともに変形できる掛け時計。
【請求項２】
前記反転装置は前記スライドレールとスライドできるように接続される切替ブロックを含み、前記切替ブロックの反時計回りの一端の端面と前記電磁ブロックとの間には復帰バネが接続され、前記切替ブロックの時計回りの一端の端面には上部当接ロッドが設けられ、前記切替ブロックには反転溝が設けられ、前記反転溝の反時計回りの一端の内壁には固定軸が回転できるように接続され、前記固定軸には表示パネルが設けられ、前記切替ブロックには前記反転溝のうち円心に近接している一端に位置する開口溝が設けられ、前記開口溝の中には前記回しロッドと当接する押し板がスライドできるように接続され、前記押し板と前記開口溝のうち互いに近接している側には引張りバネが接続され、前記引張りバネにおいて時計回りの一端の内壁には下部当接ロッドがスライドできるように接続され、
前記回しロッドと前記押し板との当接によって前記切替ブロックを連動させてスライドさせ、前記固定軸によって前記表示パネルを回転させて時間の変化を示すことを特徴とする請求項１に記載の時間とともに変形できる掛け時計。
【請求項３】
前記復帰装置は前記スライドレールとスライドできるように接続される磁気ブロックを含み、前記磁気ブロックの中には復帰チャンバが設けられ、前記復帰チャンバのうち円心に近接している一端には駆動軸が回転できるように接続され、前記駆動軸には前記磁気ブロックの外側に位置する第一傘歯車が設けられ、前記駆動軸には前記復帰チャンバに位置する第二傘歯車が設けられ、前記磁気ブロックの反時計回りの一端の内壁には前記反転軸の中に伸びている伝動軸が回転できるように接続され、前記伝動軸と前記固定軸との間にはヒンジ接続フレームがヒンジで接続され、前記伝動軸には前記第二傘歯車と噛み合う第三傘歯車が設けられ、前記伝動軸には前記第三傘歯車の反時計回りの一側に位置する引掛り盤が設けられ、前記復帰チャンバの反時計回りの一端の内壁にはロック解除チャンバが連通して設けられ、前記ロック解除チャンバには前記上部当接ロッドと当接するロックロッドがスライドできるように接続され、前記ロックロッドの上側と前記ロック解除チャンバとの間には圧縮バネが接続され、
前記上部当接ロッドによって前記ロックロッドを押し動かして前記引掛り盤との当接から離脱させ、前記伝動軸が前記ヒンジ接続フレームによって前記固定軸を回転させることを特徴とする請求項１又は請求項２に記載の時間とともに変形できる掛け時計。
【請求項４】
前記スイッチ装置は前記クロック軸と回転できるように接続されるスイッチボックスを含み、前記スイッチボックスの後側と前記ラチェットの前側との間にはもどしバネが接続され、前記スイッチボックスの中には活動チャンバが設けられ、前記クロック軸には前記活動チャンバに位置する間欠リングが設けられ、前記活動チャンバの中には前記クロック軸の上端に位置する横梁が設けられ、前記横梁には前記間欠リングと当接するスイッチロッドがスライドできるように接続され、前記活動チャンバの後端内壁には前記ラチェットと当接する歯止めがスライドできるように接続され、前記歯止めと前記活動チャンバの後端内壁との間には抑制バネが接続され、
前記間欠リングの不規則な形状によってスイッチ状態が変化すると装置が復帰することを特徴とする請求項１又は請求項３に記載の時間とともに変形できる掛け時計。
【手続補正２】
【補正対象書類名】明細書
【補正対象項目名】全文
【補正方法】変更
【補正の内容】
【発明の詳細な説明】
【技術分野】
【０００１】
本発明は時計クロック技術分野を取り上げて、具体的には時間とともに変形できる掛け時計である。
【背景技術】
【０００２】
掛け時計は通常高いところに掛けられ、しかし、視力の弱い人たちにとっては、外部のツールの助けなしでは時間を見ることができないことがあり、そして伝統的な掛け時計の３本の針の動きは混同しやすい、したがって、形状を使用して時間を簡易に提示する掛け時計が業界の発展において避けられない傾向になる。
【先行技術文献】
【特許文献】
【０００３】
【特許文献１】中国特許出願公開第１０６５９７８２９号明細書
【発明の概要】
【発明が解決しようとする課題】
【０００４】
本発明の目的は時間とともに変形できる掛け時計を提供し、それは上記の現在の技術中の
問題を解決できる。
【課題を解決するための手段】
【０００５】
上記の課題を解決するため、本発明は以下の技術プランを採用する：時間とともに変形できる掛け時計は、ぜんまい仕掛けを含み、前記ぜんまい仕掛けの前端にはクロック軸が接続され、前記クロック軸には展示盤が回転できるように接続され、前記展示盤の前端端面にはスライドレールが設けられ、前記スライドレールには六組の指示装置がスライドできるように接続され、前記指示装置は反転装置および復帰装置を含み、その中、前記反転装置と前記復帰装置との間には相互作用を生じ、前記スライドレールには前記復帰装置と当接する電磁ブロックが設けられ、前記クロック軸には回転盤が設けられ、前記回転盤にはスライド溝が設けられ、前記スライド溝には回しロッドがスライドできるように接続され且つ、前記回しロッドと前記回転盤の間には抵抗バネが接続され、前記クロック軸には前記回転盤の前端に位置する復帰傘歯車が回転できるように接続され、前記復帰傘歯車の前端には前記クロック軸とスリーブ接続されるラチェットが設けられ、前記クロック軸には前記復帰傘歯車の前端に位置するスイッチ装置が設けられ、
時計で二時間ごとに一組の前記指示装置を曲げ、時間の変更を注意し、前記スイッチ装置と前記復帰装置との協力作動により、前記反転装置を復帰させ、またの時間表示作動に進む。
【０００６】
優選的には、前記反転装置は前記スライドレールとスライドできるように接続される切替ブロックを含み、前記切替ブロックの反時計回りの一端の端面と前記電磁ブロックとの間には復帰バネが接続され、前記切替ブロックの時計回りの一端の端面には上部当接ロッドが設けられ、前記切替ブロックには反転溝が設けられ、前記反転溝の反時計回りの一端の内壁には固定軸が回転できるように接続され、前記固定軸には表示パネルが設けられ、前記切替ブロックには前記反転溝のうち円心に近接している一端に位置する開口溝が設けられ、前記開口溝の中には前記回しロッドと当接する押し板がスライドできるように接続され、前記押し板と前記開口溝のうち互いに近接している側には引張りバネが接続され、前記引張りバネにおいて時計回りの一端の内壁には下部当接ロッドがスライドできるように接続され、
前記回しロッドと前記押し板との当接によって前記切替ブロックを連動させてスライドさせ、前記固定軸によって前記表示パネルを回転させて時間の変化を示す。
【０００７】
優選的には、前記復帰装置は前記スライドレールとスライドできるように接続される磁気ブロックを含み、前記磁気ブロックの中には復帰チャンバが設けられ、前記復帰チャンバのうち円心に近接している一端には駆動軸が回転できるように接続され、前記駆動軸には前記磁気ブロックの外側に位置する第一傘歯車が設けられ、前記駆動軸には前記復帰チャンバに位置する第二傘歯車が設けられ、前記磁気ブロックの反時計回りの一端の内壁には前記反転軸の中に伸びている伝動軸が回転できるように接続され、前記伝動軸と前記固定軸との間にはヒンジ接続フレームがヒンジで接続され、前記伝動軸には前記第二傘歯車と噛み合う第三傘歯車が設けられ、前記伝動軸には前記第三傘歯車の反時計回りの一側に位置する引掛り盤が設けられ、前記復帰チャンバの反時計回りの一端の内壁にはロック解除チャンバが連通して設けられ、前記ロック解除チャンバには前記上部当接ロッドと当接するロックロッドがスライドできるように接続され、前記ロックロッドの上側と前記ロック解除チャンバとの間には圧縮バネが接続され、
前記上部当接ロッドによって前記ロックロッドを押し動かして前記引掛り盤との当接から離脱させ、前記伝動軸が前記ヒンジ接続フレームによって前記固定軸を回転させる。
【０００８】
優選的には、前記スイッチ装置は前記クロック軸と回転できるように接続されるスイッチボックスを含み、前記スイッチボックスの後側と前記ラチェットの前側との間にはもどしバネが接続され、前記スイッチボックスの中には活動チャンバが設けられ、前記クロック軸には前記活動チャンバに位置する間欠リングが設けられ、前記活動チャンバの中には前記クロック軸の上端に位置する横梁が設けられ、前記横梁には前記間欠リングと当接するスイッチロッドがスライドできるように接続され、前記活動チャンバの後端内壁には前記ラチェットと当接する歯止めがスライドできるように接続され、前記歯止めと前記活動チャンバの後端内壁との間には抑制バネが接続され、
前記間欠リングの不規則な形状によってスイッチ状態が変化すると装置が復帰する。
【発明の効果】
【０００９】
本発明の有益な効果は：二時間ごとに一組のライトボードを曲げることにより、使用者に時間の変化を注意してもらい、同時に、壁時計の位置が高すぎることによって引き起こされる不明瞭な観察を避け、そして伝統的な時計の三組の針で時間を読み間違う問題を防ぎ、二時間ごとに一組を曲げ、十二時間ごとに一循環の読み方によってもっと便利且つ早く時間を読まれる。
【図面の簡単な説明】
【００１０】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１１】
【図１】図１は本発明の時間とともに変形できる掛け時計の全体構成概略図
【図２】図２は図１のＡの拡大構造図
【図３】図３は図１のＢーＢ構造断面図
【図４】図４は図３のＣ―Ｃの構造概略図
【発明を実施するための形態】
【００１２】
下記に図１〜４を合わせて本発明について詳しく説明します。説明を便利にさせるように、ここで下記の方位に規定します：下記の上下左右前後という方向は図１の自身の投影関係の上下左右前後の方向と一致します。
【００１３】
本発明の時間とともに変形できる掛け時計は、ぜんまい仕掛け５０を含み、前記ぜんまい仕掛け５０の前端にはクロック軸１１が接続され、前記クロック軸１１には展示盤１５が回転できるように接続され、前記展示盤１５の前端端面にはスライドレール１４が設けられ、前記スライドレールには六組の指示装置９０１がスライドできるように接続され、前記指示装置９０１は反転装置９０２および復帰装置９０３を含み、その中、前記反転装置９０２と前記復帰装置９０３との間には相互作用を生じ、前記スライドレール１４には前記復帰装置９０３と当接する電磁ブロック３２が設けられ、前記クロック軸１１には回転盤１２が設けられ、前記回転盤１２にはスライド溝１６が設けられ、前記スライド溝１６には回しロッド１７がスライドできるように接続され且つ、前記回しロッド１７と前記回転盤１２の間には抵抗バネ１８が接続され、前記クロック軸１１には前記回転盤１２の前端に位置する復帰傘歯車４１が回転できるように接続され、前記復帰傘歯車４１の前端には前記クロック軸１１とスリーブ接続されるラチェット４９が設けられ、前記クロック軸１１には前記復帰傘歯車４１の前端に位置するスイッチ装置９０４が設けられ、
時計で二時間ごとに一組の前記指示装置を曲げ、時間の変更を注意し、前記スイッチ装置９０４と前記復帰装置９０３との協力作動により、前記反転装置９０２を復帰させ、またの時間表示作動に進む。
【００１４】
有益的なには、前記反転装置９０２は前記スライドレール１４とスライドできるように接続される切替ブロック４０を含み、前記切替ブロック４０の反時計回りの一端の端面と前記電磁ブロック３２との間には復帰バネ１３が接続され、前記切替ブロック４０の時計回りの一端の端面には上部当接ロッド２４が設けられ、前記切替ブロック４０には反転溝２２が設けられ、前記反転溝２２の反時計回りの一端の内壁には固定軸２０が回転できるように接続され、前記固定軸２０には表示パネル１９が設けられ、前記切替ブロック４０には前記反転溝２２のうち円心に近接している一端に位置する開口溝３９が設けられ、前記開口溝３９の中には前記回しロッド１７と当接する押し板３７がスライドできるように接続され、前記押し板３７と前記開口溝３９のうち互いに近接している側には引張りバネ３８が接続され、前記引張りバネ３８において時計回りの一端の内壁には下部当接ロッド３６がスライドできるように接続され、
前記回しロッド１７と前記押し板３７との当接によって前記切替ブロック４０を連動させてスライドさせ、前記固定軸２０によって前記表示パネル１９を回転させて時間の変化を示す。
【００１５】
有益的なには、前記復帰装置９０３は前記スライドレール１４とスライドできるように接続される磁気ブロック２８を含み、前記磁気ブロック２８の中には復帰チャンバ３０が設けられ、前記復帰チャンバ３０のうち円心に近接している一端には駆動軸３３が回転できるように接続され、前記駆動軸３３には前記磁気ブロック２８の外側に位置する第一傘歯車３４が設けられ、前記駆動軸３３には前記復帰チャンバ３０に位置する第二傘歯車３１が設けられ、前記磁気ブロック２８の反時計回りの一端の内壁には前記反転軸２２の中に伸びている伝動軸２３が回転できるように接続され、前記伝動軸２３と前記固定軸２０との間にはヒンジ接続フレーム２１がヒンジで接続され、前記伝動軸２３には前記第二傘歯車３１と噛み合う第三傘歯車２９が設けられ、前記伝動軸２３には前記第三傘歯車２９の反時計回りの一側に位置する引掛り盤２７が設けられ、前記復帰チャンバ３０の反時計回りの一端の内壁にはロック解除チャンバ３５が連通して設けられ、前記ロック解除チャンバ３５には前記上部当接ロッド２４と当接するロックロッド２６がスライドできるように接続され、前記ロックロッド２６の上側と前記ロック解除チャンバ３５との間には圧縮バネ２５が接続され、
前記上部当接ロッド２４によって前記ロックロッド２６を押し動かして前記引掛り盤２７との当接から離脱させ、前記伝動軸２３が前記ヒンジ接続フレーム２１によって前記固定軸２０を回転させる。
【００１６】
有益的なには、前記スイッチ装置９０４は前記クロック軸１１と回転できるように接続されるスイッチボックス４２を含み、前記スイッチボックス４２の後側と前記ラチェット４９の前側との間にはもどしバネ５１が接続され、前記スイッチボックス４２の中には活動チャンバ４３が設けられ、前記クロック軸１１には前記活動チャンバ４３に位置する間欠リング４４が設けられ、前記活動チャンバ４３の中には前記クロック軸１１の上端に位置する横梁４５が設けられ、前記横梁４５には前記間欠リング４４と当接するスイッチロッド４６がスライドできるように接続され、前記活動チャンバ４３の後端内壁には前記ラチェット４９と当接する歯止め４８がスライドできるように接続され、前記歯止め４８と前記活動チャンバ４３の後端内壁との間には抑制バネ４７が接続され、
前記間欠リング４４の不規則な形状によってスイッチ状態が変化すると装置が復帰する。
【００１７】
初期状態では、表示パネル１９が回転して展示盤１５と並行するようになり、上部当接ロッド２４がロックロッド２６と当接していなく、下部当接ロッド３６が磁気ブロック２８と当接していなく、ロックロッド２６と引掛り盤２７との間の当接によって駆動軸２３の回転する能力が制限されている。
【００１８】
装置が作動しているとき、ぜんまい仕掛け５０を始動させてクロック軸１１によって回転盤１２を回転させ、それにより回しロッド１７を回転連動させ、回しロッド１７が開口溝３９の中に伸びて切替ブロック４０と磁性ブロック２８を押して時計方向に回転させ、二時間ごとに磁性ブロック２８と電磁ブロック３２とが当接し、このとき、切換ブロック４０がスライドし続けて下部当接ロッド３６によって押し板３７を押し出し、押し板３７が回しロッド１７を開口溝３９から押し出し、これにより回しロッド１７がスライドして次の組の指示装置とドッキングし、上部当接ロッド２４がロックロッド２６と当接してロックロッド２６を押し動かして上方に移動させ、伝動軸２３の回転機能を回復させ、このとき、表示パネル１９が重力により水平状態から鉛直状態になり、固定軸２０、ヒンジ接続フレーム２１および伝動軸２３は第三傘歯車２９を回転連動させ、第三傘歯車２９が噛み合いによって第二傘歯車３１を回転させ、第二傘歯車３１が駆動軸３３によって第一傘歯車３４を回転連動させ、第一傘歯車３４が噛み合いによって復帰傘歯車４１を回転させ、ラチェット４９と歯止め４８との当接によって復帰傘歯車４１を一方向にしか回転できないようにさせ、クロック軸１１が一回り回転すれば１２時間であり、このとき、間欠リング４４の凹部がスイッチロッド４６と当接してスイッチロッド４６を下方に移動させ、電磁ブロックを停電させて消磁させ、抑制バネ４７の弾性回復により歯止め４８を前方に移動してラチェット４９との当接から離脱させ、もどしバネ５１の弾性回復によって復帰傘歯車４１を回転させ、上記のワークプロセスを逆で進めてすべての部品を復帰させ、次のサイクルの回転が実行される。
【００１９】
本発明の有益な効果は：二時間ごとに一組のライトボードを曲げることにより、使用者に時間の変化を注意してもらい、同時に、壁時計の位置が高すぎることによって引き起こされる不明瞭な観察を避け、そして伝統的な時計の三組の針で時間を読み間違う問題を防ぎ、二時間ごとに一組を曲げ、十二時間ごとに一循環の読み方によってもっと便利且つ早く時間を読まれる。
【００２０】
このように、本分野の技術者が明確できるのは、本発明の原理から離脱しない場合で、仕事モードに従って以上の実施例に各種な変形ができる。